(57)【要約】【課題】携帯端末において、カバーを圧入しても筐体をゆがめることなく、防水性を確保する。【解決手段】筐体３に電池カバー１０が挿入されるカバー挿入口３ｂと、このカバー挿入口３ｂの周縁に設けたパッキン支持部３ｃとを設ける。電池カバー１０のカバー挿入口３ｂに挿入される部分に防水パッキン１５が装着されるパッキン装着部１６を設ける。このパッキン装着部１６から変形防止用リブ１７を延ばし、筐体３に変形防止用リブ１７に対応してパッキン装着部１６が防水パッキン１５に押されて変形するのを防止する筐体側支持リブ３ｄを設ける。【選択図】図１
2014212493.tif 000002
【特許請求の範囲】
【請求項１】
カバーが挿入されるカバー挿入口と、該カバー挿入口の周縁に設けたパッキン支持部とを有する筐体と、
上記カバー挿入口に挿入される部分に防水パッキンが装着されるパッキン装着部を有するカバーと、
上記パッキン装着部から延びる変形防止用リブと、
上記筐体に上記変形防止用リブに対応して設けられ、上記パッキン装着部が上記防水パッキンに押されて変形するのを防止する筐体側支持リブとを備えている
ことを特徴とする携帯端末。
【請求項２】
請求項１に記載の携帯端末において、
上記パッキン支持部と上記筐体側支持リブとが上記携帯電話機の厚さ方向に並んでいる
ことを特徴とする携帯端末。
【請求項３】
請求項１又は２に記載の携帯端末において、
上記変形防止用リブと上記筐体側支持リブとは、厚さ方向に間隔を空けて複数形成されている
ことを特徴とする携帯端末。
【請求項４】
請求項１から３までのいずれか１つに記載の携帯端末において、
上記カバーは、上記携帯端末に内蔵される電子部品を該携帯端末の側面から覆う防水性カバーである
ことを特徴とする携帯端末。
【発明の詳細な説明】
【技術分野】
【０００１】
本発明は、防水性のあるカバーを有する携帯端末に関するものである。
【背景技術】
【０００２】
従来より、筐体の防水構造において、第１筐体の周縁に設けた規制部により、第２筐体周縁に設けた凹部に対して防水部材を圧入して防水効果を得る携帯端末は知られている（例えば、特許文献１参照）。
【先行技術文献】
【特許文献】
【０００３】
【特許文献１】特開２００８−１０６９３２号公報
【発明の概要】
【発明が解決しようとする課題】
【０００４】
しかしながら、従来の携帯端末では、防水部材を開口部に圧入するので、筐体側に比較的大きな応力が加わる。このため、筐体の強度が不足した場合、筐体が変形して十分な防水性を確保することができないという問題がある。
【０００５】
本発明は、かかる点に鑑みてなされたものであり、その目的とするところは、カバーを圧入しても筐体をゆがめることなく、防水性を確保することにある。
【課題を解決するための手段】
【０００６】
上記の目的を達成するために、この発明では、カバー側と筐体側とに変形防止構造を設けた。
【０００７】
具体的には、第１の発明では、カバーが挿入されるカバー挿入口と、該カバー挿入口の周縁に設けたパッキン支持部とを有する筐体と、
上記カバー挿入口に挿入される部分に防水パッキンが装着されるパッキン装着部を有するカバーと、
上記パッキン装着部から延びる変形防止用リブと、
上記筐体に上記変形防止用リブに対応して設けられ、上記パッキン装着部が上記防水パッキンに押されて変形するのを防止する筐体側支持リブとを備えている。
【０００８】
上記の構成によると、カバーから延びる変形防止用リブを筐体側支持リブで支持するので、筐体及びカバーの変形が防止される。このため、カバーを圧入しても防水性が確保される。
【発明の効果】
【０００９】
以上説明したように、本発明によれば、カバー側の変形防止用リブに対応して、筐体側にパッキン装着部が防水パッキンに押されて変形するのを防止する筐体側支持リブを設けたことにより、カバーを圧入しても筐体をゆがめることなく、防水性を確保することができる。
【図面の簡単な説明】
【００１０】
【図１】図２のＩ−Ｉ線拡大断面図である。
【図２】本発明の実施形態に係る携帯電話機を背面側から見た斜視図である。
【図３】携帯電話機の分解斜視図である。
【図４】筐体側支持リブ及びその周辺を拡大して示す斜視図である。
【図５】変形防止用リブ及びその周辺を拡大して示す斜視図である。
【図６】防水パッキンを拡大して示す斜視図である。
【図７】本発明の実施形態の変形例１に係る図１相当図である。
【図８】本発明の実施形態の変形例２に係る図１相当図である。
【発明を実施するための形態】
【００１１】
以下、本発明の実施形態を図面に基づいて説明する。
【００１２】
図２は、本発明の実施形態に係る携帯端末としての携帯電話機１を背面側から見た斜視図であり、図１は、図２のＩ−Ｉ線拡大断面図であり、図３は、携帯電話機１の分解斜視図である。携帯電話機１は、正面側に液晶表示部２を備え、この液晶表示部２が樹脂成形品よりなる筐体３に貼り付けられている。筐体３の背面は、樹脂成形品のリアカバー４で覆われている。筐体３の内部には、液晶表示部２の背面に電子部品としての充電池５が内蔵され、その背面側に同じく電子部品としてのメイン基板６が配置されている。
【００１３】
そして、携帯電話機１の下部に充電池５を覆う電池カバー１０が設けられている。図４は、筐体側支持リブ及びその周辺を拡大して示す斜視図である。電池カバー１０は、カバー本体１１と、このカバー本体１１を覆う装飾カバー１２とを備え、取付用ビス１３を筐体３のビス孔３ａに締結して取り付けられるようになっている。筐体３の下部には、電池カバー１０が挿入される矩形状のカバー挿入口３ｂが形成されている。カバー挿入口３ｂの周縁には、枠状のパッキン支持部３ｃが形成され、その背面側には、例えば２つの筐体側支持リブ３ｄが設けられ、この筐体側支持リブ３ｄは底面視コ字状に一体成形されている。
【００１４】
図５は、変形防止用リブ及びその周辺を拡大して示す斜視図であり、図６は、防水パッキンを拡大して示す斜視図である。カバー本体１１は、中央にＵＳＢ端子を接続するための端子接続部１４を備え、両側に取付用ビス１３が挿通されるビス挿通孔１１ａが設けられている。カバー本体１１の充電池５側には、板状の防水パッキン１５が設けられている。防水パッキン１５は、例えば板状の樹脂本体１５ａの外周に枠状のシリコンゴム１５ｂをインサート成形したものよりなり、樹脂本体１５ａには、カバー本体１１に設けられる端子接続部１４等を避けるための複数の開口１５ｃが形成されている。カバー本体１１のカバー挿入口３ｂに挿入される部分には、防水パッキン１５が装着される枠状のパッキン装着部１６が形成されている（図１に示す）。そして、このパッキン装着部１６における端子接続部１４の左右両側にはそれぞれ変形防止用リブ１７が延びている。この変形防止用リブ１７は、筐体側支持リブ３ｄに対応して一対設けられ、パッキン装着部１６が防水パッキン１５に押されて変形するのを防止する役割を果たしている。電池カバー１０の装着時には、図１に示すように、変形防止用リブ１７は、防水パッキン１５の開口１５ｃを通過して充電池５側へ飛び出している。
【００１５】
次いで、電池カバー１０の使用手順について説明する。
【００１６】
図１及び図３に示すように、充電池５を点検又は交換した後、カバー本体１１をカバー挿入口３ｂに圧入し、防水パッキン１５をパッキン支持部３ｃに押し付けて密着させた状態で取付用ビス１３を締結する。このとき、防水パッキン１５が強くパッキン支持部３ｃに押し付けられたとしても、電池カバー１０から延びる変形防止用リブ１７が筐体側支持リブ３ｄに嵌合してしっかりと支持されるので、筐体３及び電池カバー１０の変形が防止される。このため、電池カバー１０を圧入しても防水性が確実に確保される。
【００１７】
このように、防水性のある電池カバー１０を圧入しても筐体３が変形しないので、高い防水性を必要とする電子部品である充電池５及びメイン基板６側に液体が浸入しない。
【００１８】
したがって、本実施形態に係る携帯電話機１によると、筐体３に変形防止用リブ１７に対応してパッキン装着部１６が防水パッキン１５に押されて変形するのを防止する筐体側支持リブ３ｄを設けたことにより、電池カバー１０を圧入しても筐体３をゆがめることなく、防水性を確保することができる。
【００１９】
−変形例１−
図７は本発明の実施形態の変形例１を示し、変形防止用リブ１７’の形状が異なる点で上記実施形態１と異なる。なお、以下の各実施形態では、図１〜図６と同じ部分については同じ符号を付してその詳細な説明は省略する。
【００２０】
本変形例では、変形防止用リブ１７’の突出量が上記実施形態に比べて短く、パッキン支持部３ｃと筐体側支持リブ３ｄ’とが携帯電話機１の厚さ方向に並んでいる（正面視で互いに重なる位置にある）。本変形例では、上記実施形態のように変形防止用リブ１７が開口１５ｃを通過するのではなく、筐体側支持リブ３ｄ’が開口１５ｃを通過して電池カバー１０側へ飛び出している。このようにパッキン支持部３ｃの近傍に筐体側支持リブ３ｄを設けることで、防水パッキン１５に加わる荷重が筐体側支持リブ３ｄ’でさらに確実に支持される。
【００２１】
−変形例２−
図８は本発明の実施形態の変形例２を示し、正面側にも変形防止用リブ１７’’が設けられている点で上記実施形態１と異なる。
【００２２】
つまり、本変形例では、上記実施形態の変形防止用リブ１７及び筐体側支持リブ３ｄとは別に厚さ方向に間隔を空けて正面側にもそれぞれ例えば一対の変形防止用リブ１７’’及び筐体側支持リブ３ｄ’’が形成されている。この構成によると、厚さ方向両側で防水パッキン１５に加わる荷重を合計４つの筐体側支持リブ３ｄ，３ｄ’’で支持するので、さらに確実に変形が防止される。
【００２３】
（その他の実施形態）
本発明は、上記実施形態について、以下のような構成としてもよい。
【００２４】
すなわち、上記実施形態では、カバーは、携帯電話機１の下端に設けた電池カバー１０としたが、これに限定されず、筐体との間に防水パッキン１５で内部の電子部品を防水するカバーであれば特に限定されない。
【００２５】
上記実施形態では、携帯端末は、携帯電話機１としたが、ＰＨＳ（Personal Handy-phone System ）、ＰＤＡ(Personal Digital Assistant)、スマートフォン、パソコン、モバイルツール、電子辞書、電卓、ゲーム機等であってもよい。
【００２６】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００２７】
１      携帯電話機（携帯端末）
２      液晶表示部
３      筐体
３ａ    ビス孔
３ｂ    カバー挿入口
３ｃ    パッキン支持部
３ｄ，３ｄ’，３ｄ’’    筐体側支持リブ
４      リアカバー
５      充電池（電子部品）
６      メイン基板（電子部品）
１０      電池カバー
１１      カバー本体
１１ａ    ビス挿通孔
１２      装飾カバー
１３      取付用ビス
１４      端子接続部
１５      防水パッキン
１５ａ    樹脂本体
１５ｂ    シリコンゴム
１５ｃ    開口
１６      パッキン装着部
１７，１７’，１７’’      変形防止用リブ
【図１】
2014212493.tif 000003
【図２】
2014212493.tif 000004
【図３】
2014212493.tif 000005
【図４】
2014212493.tif 000006
【図５】
2014212493.tif 000007
【図６】
2014212493.tif 000008
【図７】
2014212493.tif 000009
【図８】
2014212493.tif 000010